(57)【要約】【課題】手掛け部の強度を高めることができる包装箱を提供する。【解決手段】包装箱１であって、頂板１１および底板１２と、左右の側壁１３，１４と、前後の端壁１６，１７と、を備えている。端壁１６，１７は、左右の内フラップ３１，３１と上下の外フラップ３２，３２とを備えている。両内フラップ３１，３１は、左右方向に間隔を空けて配置されている。上側の外フラップ３２には、上方に向けて内側に折り返し可能な第一折り返し片５０が形成され、左右いずれかの内フラップ３１には、上方に向けて内側に折り返し可能な第二折り返し片６０が形成されている。第一折り返し片５０には、両内フラップ３１，３１の間に配置された第一領域５１と、第二折り返し片６０の外面に重ねられた第二領域５２と、が設けられている。【選択図】図１
2018140799.tif 000002
【特許請求の範囲】
【請求項１】
上下一対の頂板および底板と、
前記頂板および前記底板の左右の縁部に連設された左右一対の側壁と、
前後一対の端壁と、を備え、
前記端壁は、
前記両側壁にそれぞれ連設された左右の内フラップと、
前記頂板または前記底板にそれぞれ連設された上下の外フラップと、を備え、
前記両内フラップは、左右方向に間隔を空けて配置され、
前記両外フラップは、前記両内フラップの外面に接合されており、
上側の前記外フラップには、上方に向けて内側に折り返し可能な第一折り返し片が形成され、
左右いずれかの前記内フラップには、上方に向けて内側に折り返し可能な第二折り返し片が形成されており、
前記第一折り返し片には、
前記両内フラップの間に配置された第一領域と、
前記第二折り返し片の外面に重ねられた第二領域と、が設けられていることを特徴とする包装箱。
【請求項２】
請求項１に記載の包装箱であって、
前記第二折り返し片を前記内フラップに対して上方に向けて内側に折り返したときに、前記第二折り返し片の先端縁部が前記頂板の内面に押し付けられることを特徴とする包装箱。
【請求項３】
請求項１または請求項２に記載の包装箱であって、
前記第一折り返し片には、前記第一折り返し片の下側の角部を折り返すための罫線が設けられていることを特徴とする包装箱。
【発明の詳細な説明】
【技術分野】
【０００１】
本発明は包装箱に関する。
【背景技術】
【０００２】
ラップアラウンド方式の包装箱は、左右の側壁に連設された左右の内フラップと、頂板または底板に連設された上下の外フラップとによって前後の端壁が形成されている。そして、従来のラップアラウンド方式の包装箱としては、上側の外フラップに手掛け穴が形成されているものがある（例えば、特許文献１参照）。
【先行技術文献】
【特許文献】
【０００３】
【特許文献１】特開２０１３−２３０８６７号公報
【発明の概要】
【発明が解決しようとする課題】
【０００４】
前記した包装箱に重量の大きい内容物が収容されている場合には、手掛け穴に大きな力が加わるため、包装箱を移動させるときに、外フラップが破損し易いという問題がある。
【０００５】
本発明は、前記した問題を解決し、手掛け部の強度を高めることができる包装箱を提供することを課題とする。
【課題を解決するための手段】
【０００６】
前記課題を解決するため、本発明は、包装箱であって、上下一対の頂板および底板と、前記頂板および前記底板の左右の縁部に連設された左右一対の側壁と、前後一対の端壁と、を備えている。前記端壁は、前記両側壁にそれぞれ連設された左右の内フラップと、前記頂板または前記底板にそれぞれ連設された上下の外フラップと、を備えている。前記両内フラップは、左右方向に間隔を空けて配置され、前記両外フラップは、前記両内フラップの外面に接合されている。上側の前記外フラップには、上方に向けて内側に折り返し可能な第一折り返し片が形成され、左右いずれかの前記内フラップには、上方に向けて内側に折り返し可能な第二折り返し片が形成されている。前記第一折り返し片には、前記両内フラップの間に配置された第一領域と、前記第二折り返し片の外面に重ねられた第二領域と、が設けられている。
【０００７】
本発明の包装箱では、外フラップに対して第一折り返し片を折り返した部位に手掛け部が形成される。
外フラップに対して第一折り返し片を折り返したときには、第一折り返し片の第二領域に押されて、第二折り返し片も内フラップに対して折り返される。つまり、第一折り返し片と第二折り返し片とが重なって折り返される。
これにより、手掛け部には、外フラップ、内フラップ、第二折り返し片および第一折り返し片が重ねられた部位が形成される。
また、包装箱が一枚の段ボール製のブランクシートから形成されている場合には、外フラップおよび第一折り返し片の段目方向と、内フラップおよび第二折り返し片の段目方向とが交差することになる。
このように、本発明の包装箱では、手掛け部の強度を高めることができるため、手掛け部に力を加えたときに、手掛け部が破損するのを防ぐことができる。
【０００８】
また、本発明の包装箱では、外フラップおよび内フラップに対して第一折り返し片および第二折り返し片を重ねて折り返すため、外フラップと内フラップとを接合するための接着剤が、第一折り返し片の内面および第二折り返し片の外面に付着していても、第一折り返し片および第二折り返し片を折り返すことができる。
したがって、外フラップと内フラップとを接合するときに、第一折り返し片および第二折り返し片の位置に影響されることなく、接着剤を塗布することができる。
【０００９】
なお、手掛け部は、前後の端壁の両方に形成してもよく、または、一方の端壁のみに形成してもよい。また、前後の端壁の両方に手掛け部を形成した場合には、包装箱の対角位置に二つの手掛け部が形成してもよく、または、包装箱の前後方向に二つの手掛け部を直線上に並べて形成してもよく、その位置関係は限定されるものではない。
【００１０】
前記した包装箱において、前記第二折り返し片を前記内フラップに対して上方に向けて内側に折り返したときに、前記第二折り返し片の先端縁部が前記頂板の内面に押し付けられることが好ましい。
【００１１】
この構成では、第二折り返し片が頂板に保持されて戻り難くなるため、第二折り返し片が内容物に擦れるのを防ぐことができる。
【００１２】
前記した包装箱において、前記第一折り返し片には、前記第一折り返し片の下側の角部を折り返すための罫線を設けることが好ましい。
【００１３】
この構成では、第一折り返し片を外フラップに対して折り返したときに、第一折り返し片の角部が内容物に接触すると、第一折り返し片の角部は内容物に押されて折り返されるため、第一折り返し片が内容物に強く擦れるのを防ぐことができる。
【発明の効果】
【００１４】
本発明では、包装箱の手掛け部の強度を高めることができ、手掛け部に力を加えたときに、手掛け部が破損するのを防ぐことができるため、包装箱を取り扱い易くなっている。
【図面の簡単な説明】
【００１５】
【図１】本発明の実施形態に係る包装箱を前方左上から見た斜視図である。
【図２】本発明の実施形態に係る包装箱を後方右下から見た斜視図である。
【図３】本発明の実施形態に係る包装箱のブランクシートを示した図である。
【図４】本発明の実施形態に係る包装箱において、上下の外フラップを開いた状態を前方左上から見た斜視図である。
【図５】本発明の実施形態に係る包装箱において、手掛け部を形成した状態を前方左上から見た斜視図である。
【図６】本発明の実施形態に係る包装箱の手掛け部を示した図で、（ａ）は前側の手掛け部を内側から見た図、（ｂ）は前側の手掛け部のＩ−Ｉ断面図である。
【発明を実施するための形態】
【００１６】
本発明の実施形態について、適宜図面を参照しながら詳細に説明する。
以下の説明において、前後左右方向とは、各実施形態の包装箱を説明する上で便宜上設定したものであり、包装箱の構成を限定するものではない。
【００１７】
本実施形態の包装箱１は、図１および図２に示すように、上下一対の頂板１１および底板１２と、左右一対の側壁１３，１４と、前後一対の端壁１６，１７と、を備えているラップアラウンド方式の段ボール箱である。
【００１８】
包装箱１は、図３に示すように、一枚の段ボール製のシートを切り抜いたブランクシートＳを各罫線において山折りまたは谷折りすることで形成される。図３に示すブランクシートＳは外面側が見えるように配置されている。
ブランクシートＳの各罫線（折線）は、ブランクシートＳの表面を押し込んで形成された線状の溝である。なお、罫線に切れ込みを形成してもよい。このようにすると、罫線においてブランクシートＳを折り曲げ易くなる。
【００１９】
頂板１１、底板１２、左側壁１３および右側壁１４は、図１に示すように、それぞれ四角形の壁部である。
頂板１１の左縁部には、罫線Ｌ１を介して、左側壁１３が連設されている。左側壁１３は、頂板１１の左縁部から下方に向けて延びている。左側壁１３は、頂板１１に対して垂直に形成されている。
【００２０】
左側壁１３の下縁部には、図２に示すように、罫線Ｌ２を介して、底板１２が連設されている。底板１２は、左側壁１３の下縁部から右方に向けて延びている。底板１２は、左側壁１３に対して垂直に形成されている。底板１２は頂板１１と略同じ形状である。
【００２１】
底板１２の右縁部には、罫線Ｌ３を介して、右側壁１４が連設されている。右側壁１４は、底板１２の右縁部から上方に向けて延びている。右側壁１４は、底板１２に対して垂直に形成されている。右側壁１４は左側壁１３と同じ形状である。
【００２２】
右側壁１４の上縁部には、図１に示すように、罫線Ｌ４を介して、接合片１５が連設されている。接合片１５は、右側壁１４の上縁部に沿って帯状に形成されている。接合片１５は、頂板１１の内面の右端部に接着剤によって接合される部位である。
【００２３】
ブランクシートＳ（図３参照）を罫線Ｌ１〜Ｌ４で折り曲げつつ、接合片１５を頂板１１の内面に接合すると、頂板１１、左側壁１３、底板１２および右側壁１４が四角形の角筒状を呈するようになる。
【００２４】
前端壁１６は、左側壁１３に連設された左側の内フラップ３１と、右側壁１４に連設された右側の内フラップ３１と、頂板１１に連設された上側の外フラップ３２と、底板１２に連設された下側の外フラップ３２と、によって構成されている。
【００２５】
左側の内フラップ３１は、左側壁１３の前縁部に罫線Ｌ１１を介して連設されている。左側の内フラップ３１は、左側壁１３の前縁部から右方に向けて延びている。左側の内フラップ３１は、左側壁１３に対して垂直に形成されている。
【００２６】
右側の内フラップ３１は、右側壁１４の前縁部に罫線Ｌ１１を介して連設されている。右側の内フラップ３１は、右側壁１４の前縁部から左方に向けて延びている。右側の内フラップ３１は、右側壁１４に対して垂直に形成されている。
【００２７】
左右の内フラップ３１，３１は、左右方向に間隔を空けて配置されている。
【００２８】
上側の外フラップ３２は、頂板１１の前縁部に罫線Ｌ１２を介して連設されている。上側の外フラップ３２は、頂板１１の前縁部から下方に向けて延びている。上側の外フラップ３２は、頂板１１に対して垂直に形成されている。
【００２９】
下側の外フラップ３２は、底板１２の前縁部に罫線Ｌ１２を介して連設されている。下側の外フラップ３２は、底板１２の前縁部から上方に向けて延びている。下側の外フラップ３２は、底板１２に対して垂直に形成されている。
【００３０】
外フラップ３２の上下方向の長さは、左右の側壁１３，１４の上下方向の長さの約１／３である。したがって、上下の外フラップ３２，３２は、上下方向に間隔を空けて配置されている。
【００３１】
上下の外フラップ３２，３２は、左右の内フラップ３１，３１の外面に重ねられている。そして、外フラップ３２の内面は、両内フラップ３１，３１の外面にホットメルト等の接着剤によって接合されている。
このように、左右の内フラップ３１，３１に上下の外フラップ３２，３２を重ねることで、前端壁１６が形成されている。また、前端壁１６の中央部には、四角形の開口部２１が形成されている。
【００３２】
本実施形態の包装箱１の前端壁１６では、図１に示すように、上側の外フラップ３２の下部に第一折り返し片５０が形成されている。第一折り返し片５０は、外フラップ３２の下縁部から上方に入り込んでいる。第一折り返し片５０は、左右方向に延びている長方形に形成されている。
【００３３】
第一折り返し片５０の上縁部は、上下二本の罫線Ｌ２１，Ｌ２１を介して、外フラップ３２に連設されている。第一折り返し片５０の左右の縁部は、スリットＬ２２，Ｌ２２によって、外フラップ３２から切り離されている。
【００３４】
第一折り返し片５０の左右方向の中央位置は、外フラップ３２の左右方向の中央位置に対して左側にずれている（図３参照）。第一折り返し片５０の右縁部は、左右の内フラップ３１，３１の間に配置され、第一折り返し片５０の左端部は、左側の内フラップ３１の外面に重なっている。
このように、第一折り返し片５０には、左右の内フラップ３１，３１の間に配置された第一領域５１と、左側の内フラップ３１の外面に重ねられた第二領域５２と、が設けられている。
【００３５】
第一折り返し片５０は、図６（ａ）および（ｂ）に示すように、外フラップ３２に対して、二本の罫線Ｌ２１，Ｌ２１において上方に向けて内側に折り返すことができる。
第一折り返し片５０を外フラップ３２に対して折り返すと、図５に示すように、第一折り返し片５０の下部には、開口部２１に連通している凹部５３が形成される。
そして、外フラップ３２と第一折り返し片５０との折り返し部には、手を掛けるための手掛け部７０が形成される。
【００３６】
なお、本実施形態の手掛け部７０の左右方向の長さは、凹部５３に手を差し込んだときに、手掛け部７０全体に手が掛かるように設定されている。すなわち、手から手掛け部７０全体に力が加わるように構成されている。
【００３７】
また、本実施形態では、図３に示すように、第一折り返し片５０の左右のスリットＬ２２，Ｌ２２の基端部が外側に向けて半円状に湾曲している。これにより、第一折り返し片５０を外フラップ３２に対して折り返したときに、スリットＬ２２の基端部が裂けるのを防ぐことができる。
【００３８】
第一折り返し片５０には、図１に示すように、左下の角部５４を折り返すための罫線Ｌ２３が形成されている。罫線Ｌ２３は、第一折り返し片５０の下縁部から左縁部に亘って斜めに形成されている。これにより、第一折り返し片５０の下縁部、左縁部および罫線Ｌ２３によって、左下の角部５４が三角形の領域に区画されている。
【００３９】
本実施形態の包装箱１の前端壁１６では、図４に示すように、左側の内フラップ３１の左側部に第二折り返し片６０が形成されている。第二折り返し片６０は、内フラップ３１の右縁部から左方に入り込んでいる。第二折り返し片６０は、上下方向に延びている長方形に形成されている。
【００４０】
第二折り返し片６０の外面には、図１に示すように、第一折り返し片５０の第二領域５２が重なっている。第二折り返し片６０と第一折り返し片５０の第二領域５２とは、略同じ大きさに形成されている。
【００４１】
第二折り返し片６０の上縁部は、罫線Ｌ２５を介して、内フラップ３１に連設されている。第二折り返し片６０の左縁部および下縁部は、スリットＬ２６によって内フラップ３１から切り離されている。
【００４２】
第二折り返し片６０は、図６（ａ）および（ｂ）に示すように、内フラップ３１に対して、罫線Ｌ２５において上方に向けて内側に折り返すことができる。
なお、内フラップ３１に対して第二折り返し片６０を折り返したときに、第二折り返し片６０の先端縁部が頂板１１の内面（下面）に押し付けられるように、第二折り返し片６０の上下方向の長さが設定されている。
【００４３】
後端壁１７は、図２に示すように、前端壁１６（図１参照）と同様に、左右の内フラップ３１，３１に上下の外フラップ３２，３２を重ねることで形成されている。さらに、後端壁１７にも、第一折り返し片５０および第二折り返し片６０が形成されている。
【００４４】
後端壁１７では、右側の内フラップ３１に第二折り返し片６０が形成されている（図４参照）。また、第一折り返し片５０の左右方向の中央位置は、外フラップ３２の左右方向の中央位置に対して右側にずれている（図３参照）。そして、第一折り返し片５０の右側部に第二領域５２および罫線Ｌ２３が形成されている。
このように、後端壁１７の第一折り返し片５０および第二折り返し片６０と、前端壁１６（図１参照）の第一折り返し片５０および第二折り返し片６０とは、左右対称に形成されている。
【００４５】
次に、本実施形態の包装箱１に手掛け部７０を形成する手順について説明する。
図６（ａ）および（ｂ）に示すように、前端壁１６の外側から外フラップ３２の第一折り返し片５０を内側に向けて押し込むと、第一折り返し片５０が外フラップ３２に対して上方に向けて内側に折り返される。
【００４６】
このとき、第一折り返し片５０の第二領域５２に押されて、第二折り返し片６０も内フラップ３１に対して上方に向けて内側に折り返される。つまり、第一折り返し片５０と第二折り返し片６０とが重なって折り返される。
これにより、第一折り返し片５０および第二折り返し片６０が外フラップ３２および内フラップ３１の内面に重なる。
【００４７】
前記したように、外フラップ３２および内フラップ３１に対して第一折り返し片５０および第二折り返し片６０を折り返すと、図５に示すように、上側の外フラップ３２の下端部に凹部５３が形成される。そして、外フラップ３２と第一折り返し片５０との折り返し部に手掛け部７０が形成される。
【００４８】
また、第二折り返し片６０の先端縁部は、図６（ａ）および（ｂ）に示すように、頂板１１の内面に押し付けられ、第二折り返し片６０は内フラップ３１に対して折り返された状態に保持される。
【００４９】
また、外フラップ３２に対して第一折り返し片５０を折り返したときに、第一折り返し片５０の左下の角部５４が内容物Ｐに接触すると、第一折り返し片５０の左下の角部５４は、内容物Ｐに押されて第一折り返し片５０に対して折り返される。
【００５０】
後端壁１７においても、図５に示すように、前端壁１６と同様にして、外フラップ３２および内フラップ３１に対して第一折り返し片５０および第二折り返し片６０を折り返して手掛け部７０を形成する。
【００５１】
このようにして、包装箱１の前部左側および後部右側に二つの手掛け部７０，７０が形成される。つまり、包装箱１の対角位置に二つの手掛け部７０，７０が形成される。
【００５２】
以上のような本実施形態の包装箱１では、図６（ａ）および（ｂ）に示すように、外フラップ３２、内フラップ３１、第二折り返し片６０および第一折り返し片５０が四重に重ねられた部位が手掛け部７０に形成される。
また、外フラップ３２および第一折り返し片５０の段目方向（左右方向）と、内フラップ３１および第二折り返し片６０の段目方向（上下方向）とが交差することになる。
【００５３】
このように、本実施形態の包装箱１では、手掛け部７０の強度を高めることができる。したがって、包装箱１を移動させるために、手掛け部７０に力を加えたときに、手掛け部７０が破損するのを防ぐことができるため、包装箱１を取り扱い易くなっている。
なお、本実施形態では、手掛け部７０全体に手が掛かるように設定されており、四重に重ねられた部位に必ず手から力が加わるため、手掛け部７０が効果的に補強されている。
【００５４】
本実施形態の包装箱１では、対角位置に二つの手掛け部７０，７０が形成されており、両手掛け部７０，７０に手を掛けたときに、両手掛け部７０，７０に力を加え易いため、包装箱１を持ち上げ易くなっている。
【００５５】
本実施形態の包装箱１では、外フラップ３２および内フラップ３１に対して、第一折り返し片５０および第二折り返し片６０を重ねて折り返すため、外フラップ３２と内フラップ３１とを接合するための接着剤が、第一折り返し片５０の内面および第二折り返し片６０の外面に付着していても、第一折り返し片５０および第二折り返し片６０を折り返すことができる。
したがって、外フラップ３２と内フラップ３１とを接合するときに、第一折り返し片５０および第二折り返し片６０の位置に影響されることなく、接着剤を塗布することができる。
【００５６】
本実施形態の包装箱１では、第二折り返し片６０は折り返した状態で頂板１１に保持され、第二折り返し片６０が戻り難くなっているため、第二折り返し片６０が内容物Ｐに擦れるのを防ぐことができる。
また、本実施形態の包装箱１では、第一折り返し片５０を折り返したときに、第一折り返し片５０の角部５４が内容物Ｐに接触すると、第一折り返し片５０の角部５４は内容物Ｐに押されて折り返されるため、第一折り返し片５０が内容物Ｐに強く擦れるのを防ぐことができる。
【００５７】
このように、第一折り返し片５０および第二折り返し片６０が内容物Ｐに擦れ難くなっているため、例えば、ペットボトルのキャップに印字されたロット番号など、内容物Ｐの表面に印字された記号や模様が剥げるのを防ぐことができる。したがって、手掛け部７０に手を繰り返し掛けても内容物Ｐを保護することができる。
【００５８】
以上、本発明の実施形態について説明したが、本発明は前記実施形態に限定されることなく、その趣旨を逸脱しない範囲で適宜に変更が可能である。
本実施形態の包装箱１では、図５に示すように、包装箱１の対角位置に二つの手掛け部７０，７０が形成されているが、包装箱１の前後方向に二つの手掛け部７０，７０を直線上に並べて形成してもよい。さらに、本実施形態の包装箱１では、前後の端壁１６，１７の両方に手掛け部７０，７０が形成されているが、前端壁１６または後端壁１７の一方のみに手掛け部７０を形成してもよい。
【００５９】
本実施形態の包装箱１では、図１に示すように、上側の外フラップ３２の下部に第一折り返し片５０が形成されているが、上側の外フラップ３２の中間部に第一折り返し片５０を形成してもよい。この構成では、外フラップ３２に対して第一折り返し片５０を折り返すと、上側の外フラップ３２に貫通穴の手掛け部が形成されることになる。
【００６０】
本実施形態の第一折り返し片５０には、左下の角部５４を折り返すための罫線Ｌ２３が形成されているが、右下の角部を折り返すための罫線を形成してもよい。
【００６１】
本実施形態の包装箱１では、上下の外フラップ３２，３２が上下方向に間隔を空けて配置されているが、上下の外フラップ３２，３２が突き合わされるように構成してもよい。
【００６２】
本実施形態の包装箱１は段ボール製であるが、各種公知の板紙によって包装箱を形成してもよい。
【符号の説明】
【００６３】
１      包装箱
１１    頂板
１２    底板
１３    左側壁
１４    右側壁
１５    接合片
１６    前端壁
１７    後端壁
２１    開口部
３１    内フラップ
３２    外フラップ
５０    第一折り返し片
５１    第一領域
５２    第二領域
５３    凹部
５４    角部
６０    第二折り返し片
７０    手掛け部
Ｐ      内容物
Ｓ      ブランクシート
【図１】
2018140799.tif 000003
【図２】
2018140799.tif 000004
【図３】
2018140799.tif 000005
【図４】
2018140799.tif 000006
【図５】
2018140799.tif 000007
【図６】
2018140799.tif 000008